(57)【要約】【課題】  色彩モデルを変換することなくＲＧＢ色彩モデル下で予め決定された調整領域において色彩信号を調整する色彩画像調整方法を提供し、表示装置の回路複雑性およびコストを低減するとともに、誤った輪郭が発生することを防止する。【解決手段】  この発明にかかる色彩画像調整方法は、調整領域を定義ならびに選択するステップと、色彩画像の色彩信号が前記調整領域内にあるか否かを判定するステップと、もしも前記色彩信号が前記調整領域内にあれば、色彩モデルの変換無しに前記色彩信号のRed(R),Green(G),Blue(B)グレイスケールを調整するステップとを含む。【選択図】  図4
2007049255.tif 000002
【特許請求の範囲】
【請求項１】
調整領域を定義ならびに選択するステップと、
色彩画像の色彩信号が前記調整領域内にあるか否かを判定するステップと、
もしも前記色彩信号が前記調整領域内にあれば、色彩モデルの変換無しに前記色彩信号のグレイスケールを調整するステップと
を含む色彩画像調整方法。
【請求項２】
前記調整方法が、さらに、前記色彩信号および前記調整領域の境界間の距離に基づいて調整因子を定義するステップと、
前記調整因子の数値に基づいて前記色彩信号の赤、緑、青グレイスケールを調整するステップと
を含むものである請求項１記載の色彩画像調整方法。
【請求項３】
前記調整方法が、さらに、前記色彩信号を入力するステップと、
前記した調整済み色彩信号を出力するステップと
を含むものである請求項２記載の色彩画像調整方法。
【請求項４】
前記調整方法が、さらに、もしも前記色彩信号が前記調整領域の外であれば調整無しで前記色彩信号を出力するステップを含むものである請求項３記載の色彩画像調整方法。
【請求項５】
前記調整領域の境界が、前記色彩信号の赤、緑、青グレイスケールを含む１つまたはそれ以上の不等式によって定義されるものである請求項２記載の色彩画像調整方法。
【請求項６】
前記色彩信号がもしもＲ＞Ｇ＞Ｂ（式中、Ｒ，Ｇ，Ｂは前記色彩信号の赤、緑、青グレイスケールを表す）を満たせば、前記調整領域内にあると判定されるものである請求項５記載の色彩画像調整方法。
【請求項７】
前記調整因子が、それぞれ前記不等式の１つに対応する多数個の境界因子の積である請求項５記載の色彩画像調整方法。
【請求項８】
前記境界因子が、前記境界因子に対応する前記不等式により定義される前記色彩信号および前記境界間の距離に基づいて定義されるものである請求項７記載の色彩画像調整方法。
【請求項９】
前記境界因子が、対応する前記不等式により定義される前記色彩信号および前記境界間の距離の上昇関数である請求項８記載の色彩画像調整方法。
【請求項１０】
前記境界因子が、もしも前記色彩信号が対応する前記不等式により定義された境界上に位置すれば、０（ゼロ）である請求項９記載の色彩画像調整方法。
【請求項１１】
前記境界因子の上限が、１である請求項９記載の色彩画像調整方法。
【請求項１２】
前記した調整因子の値に基づいて前記色彩信号を調整するステップが、
前記色彩信号の赤、緑、青グレイスケールに対応するゲインを加えるものであって、前記ゲインが前記調整因子に基づいて決定されるものである請求項２記載の色彩画像調整方法。
【請求項１３】
前記調整因子の値に基づいて前記色彩信号を調整する前記ステップが、
前記した対応するゲインにより前記色彩信号の赤、緑、青グレイスケールを掛け合わせるものであって、前記ゲインが前記調整因子に基づいて決定されるものである請求項２記載の色彩画像調整方法。
【請求項１４】
調整領域を定義ならびに選択するステップと、
色彩画像の色彩信号が前記調整領域内に位置するか否かを判定するステップと、
もしも前記色彩信号が前記調整領域内に位置していれば、前記色彩信号および前記調整領の境界間の距離に基づいて調整因子を定義するステップと、
色彩モデルの変換無しに前記調整因子の値に基づいて前記色彩信号を調整するステップと
を含む色彩画像調整方法。
【請求項１５】
前記調整領域の前記境界が１つまたはそれ以上の不等式によって定義されるものである請求項１４記載の色彩画像調整方法。
【請求項１６】
前記調整因子が、それぞれ前記不等式の１つに対応する多数個の前記境界因子の積である請求項１５記載の色彩画像調整方法。
【請求項１７】
前記境界因子が、前記境界因子の前記した対応する不等式により定義される前記色彩信号および前記境界間の距離に基づいて定義されるものである請求項１６記載の色彩画像調整方法。
【請求項１８】
前記境界因子が、前記境界因子の対応する前記不等式により定義される前記色彩信号および前記境界間の距離の上昇関数である請求項１７記載の色彩画像調整方法。
【請求項１９】
前記境界因子が、もしも前記色彩信号が対応する前記不等式により定義された境界上に位置すれば、０（ゼロ）である請求項１８記載の色彩画像調整方法。
【請求項２０】
前記境界因子の上限が、１である請求項１８記載の色彩画像調整方法。
【発明の詳細な説明】
【技術分野】
【０００１】
この発明は、色彩画像調整方法に関し、特に、予め決定された領域での色彩画像調整方法に関する。
【背景技術】
【０００２】
テレビジョンでの色彩画像の表示において、色彩信号のＲ（red），Ｇ（green），Ｂ（blue）信号が輝度信号Ｙおよび２つの異なる色彩信号Ｒ−Ｙ，Ｂ−Ｙに変換されて、色彩画像の色相（hue）および飽和度（saturation）を表している。従来技術では、色相信号と飽和度信号と輝度信号とが（Y,R-Y and B-Y）色彩モデル下で調整される。
【発明の開示】
【発明が解決しようとする課題】
【０００３】
しかしながら、従来技術には、２つの欠点が存在している。第１には、色彩信号の全てのグレイスケールが同時に調整され、任意の色彩を調整することが困難である。例えば、予め決定された領域における青空、白雲、夕日画像の色彩飽和度を強化または偏った肌色を調整することが困難である。第２には、たとえデジタルＲＧＢ信号を入力する場合でも、デジタルＲＧＢ信号がR-Y and B-Y色彩モデルのY,R-Y and B-Y信号に変換されてから、これらの信号が再びＲ，Ｇ，Ｂ信号に変換されて出力される。このような従来プロセスは、調整回路の複雑性およびコストを増大させるものである。
【０００４】
米国特許第5,060,060号は、別なY,R-Y and B-Y色彩モデルにおける肌色用の再生回路を開示しており、米国特許第5,060,060号では、Ｒ，Ｇ，Ｂ信号がY,R-Y and B-Y信号に変換されてから、Y,R-Y and B-Y信号が輝度（Y'）、色相（H）、飽和度（C）信号に変換される。もしも米国特許第5,060,060号の技術的特徴がテレビジョンのカラーディスプレイに提供されるならば、輝度（Y'）、色相（H）、飽和度（C）信号がＲ，Ｇ，Ｂ信号に変換される。
【０００５】
米国特許第5,585,860号は、また別なY,R-Y and B-Y色彩モデルにおける肌色用の再生回路を開示しており、米国特許第5,585,860号では、色彩信号がRGBモデルおよびY,R-Y and B-Yモデル間で変換される。
【０００６】
ここに、色彩モデルの変換無しにRGBモデルにおいて色彩画像を調整することの必要性が存在する。
【０００７】
そこで、この発明の目的は、色彩モデルの変換無しにＲＧＢ色彩モデル下で予め決定された領域において色彩信号を調整する色彩画像調整方法を提供することにある。
【０００８】
この発明の別な目的は、適切かつ好適な色彩モデル下で予め決定した領域において色彩画像を調整する色彩画像調整方法を提供することにある。調整方法において、調整領域の境界線上または付近に位置する色彩信号の調整効果は小さいが、境界線から遠い色彩信号を調整する効果は有意義なものである。従って、調整効果は漸進的であり、誤った輪郭の発生を低減させることができる。
【課題を解決するための手段】
【０００９】
上記課題を解決し、所望の目的を達成するために、この発明にかかる色彩画像調整方法は、調整領域を定義ならびに選択するステップと、色彩画像の色彩信号が前記調整領域内にあるか否かを判定するステップと、もしも前記色彩信号が前記調整領域内にあれば、色彩モデルの変換無しに前記色彩信号のRed(R),Green(G),Blue(B)グレイスケール（gray scale）を調整するステップとを含む。
【００１０】
一実施形態において、前記調整方法が、さらに、前記色彩信号および前記調整領域の境界間の距離に基づいて調整因子を定義するステップと、前記調整因子の数値に基づいて前記色彩信号の赤、緑、青グレイスケールを調整するステップとを含む。
【００１１】
一実施形態において、前記調整領域の境界が、色彩信号のＲ，Ｇ，Ｂのグレイスケールを含む一つ以上の不等式で定義づけられる。
【００１２】
一実施形態において、前記調整因子が、それぞれ前記不等式の１つに対応する多数個の境界因子の積である。一実施形態において、前記境界因子が、対応する前記不等式により定義される前記色彩信号および前記境界間の距離の上昇関数である。前記境界因子は、もしも前記色彩信号が境界上に位置すれば、０（ゼロ）である。前記境界因子の上限は、１である。
【００１３】
一実施形態において、前記調整因子の値に基づいて前記色彩信号を調整する前記ステップは、前記した対応するゲインと前記色彩信号の赤、緑、青グレイスケールに掛け合わせるステップを含み、前記ゲインは前記調整因子に基づいて決定されるものである。
【００１４】
別の本発明の特徴は、カラーイメージを調整する方法を提供するものであり、調整領域を定義ならびに選択するステップと、色彩画像の色彩信号が前記調整領域内に位置するか否かを判定するステップと、もしも前記色彩信号が前記調整領域内に位置していれば、前記色彩信号および前記調整領の境界間の距離に基づいて調整因子を定義するステップと、色彩モデルの変換無しに前記調整因子の値に基づいて前記色彩信号を調整するステップとを含む。
【００１５】
この発明の色彩画像調整方法は、色彩モデルの変換無しに、ＲＧＢ色彩モデル下で色彩信号を調整するものであって、この発明が供給する装置の複雑性およびコストを低減するものである。
【発明の効果】
【００１６】
この発明の色彩画像調整方法において、予め決定された領域内に位置する色彩画像が調整因子に基づいて調整され、調整領域の色彩信号および境界間の距離の上昇関数であって、もしも調整領域の境界線上または付近に位置すれば、調整効果は０または小さい、つまり境界線上または付近に位置する色彩信号の調整効果は小さい。反対に、境界線から遠い色彩信号の調整効果は有意義なものであって、調整効果が漸進的で、誤った輪郭の発生を防止するものである。
上記の一般事項と下記の詳細な説明は例示であり、発明の請求項の更なる説明を意図している。
【発明を実施するための最良の形態】
【００１７】
以下、この発明を実施するための最良の形態を図面に基づいて説明する。
色彩画像は、多数個の画素（pixel）の色彩信号からなっており、色彩信号は、画素のＲＧＢグレイスケールが決定する。この実施形態において、画素の色彩信号が色彩空間の予め決定した調整領域に位置しているか否かを決定する。もしイエスであれば、色彩信号および境界線間の距離に基づいて調整因子が決定される。画像信号のＲＧＢグレイスケールが調整因子に基づいて調整される。
【００１８】
調整領域が図１に示されており、それは、色度図（chromaticity diagram）を示している。図１において、この発明を具体化する表示装置のＲ，Ｇ，Ｂ信号は、ＰＲ，ＰＧ，ＰＢで表される。これら３つのＰＲ，ＰＧ，ＰＢにより形成される三角形が表示装置に表示される色彩をカバーしている。イエロー（yellow）、マゼンタ（magenta）、シアン（cyan）信号が三角形の境界線上にＰＹ，ＰＭ，ＰＣで表されている。線ＰＲ−ＰＣ，ＰＧ−ＰＭ，ＰＢ−ＰＹが三角形を６つの色彩領域１〜６に分割している。色彩領域１〜６は、ホワイト信号を表示する共同頂点ＰＷを有している。表１は、色彩領域１〜６を定義するものである。
【００１９】
【表１】
2007049255.tif 000003
【００２０】
この実施形態において、色彩領域１は、例えば肌色を含む調整領域としてセットされる。もちろん、他の色彩領域２〜６は、必要であれば調整領域としてセットされる。表１において、Ｒ，Ｇ，Ｂは、それぞれ各画素の色彩信号の赤、緑、青グレイスケールを表している。もしもR>G>Bなら、色彩信号が調整領域中にあると定義される。R>G>Bは、R>GおよびG>Bと等価である。表１中、色彩領域１は、線PY-PB(R=Gを意味する)および線PR-PC(G=Bを意味する)に制限されている。
【００２１】
調整領域が決定された後、調整因子がセットされる。この実施形態において、２つの境界因子Y_GainおよびM_Gainの積である(調整因子＝Y_Gain* M_Gain)。境界因子Y_Gainは、線PY-PBに関係し、境界因子M_Gainは、線PR-PCに関係する。境界因子Y_Gainは、色彩信号および線PY-PB間の距離の上昇関数として定義される。同様に、境界因子M_Gainは、色彩信号および線PR-PC間の距離の上昇関数として定義される。表２および表３は、Y_GainおよびM_Gainの定義である。
【００２２】
【表２】
2007049255.tif 000004
【００２３】
【表３】
2007049255.tif 000005
【００２４】
調整因子が定義された後、調整因子に基づいて色彩信号が調整される。Rin,Gin,Binが、入力色彩信号のオリジナルR,G,Bグレイスケールとして定義され、Rout,Gout,Boutが調整されたR,G,Bグレイスケールとして定義される。調整公式は、以下の通りである。
【００２５】
［数１］
Rout=Rin+Y_Gain*M_Gain*R_Gain
Gout=Gin+Y_Gain*M_Gain*G_Gain
Bout=Bin+Y_Gain*M_Gain*B_Gain
【００２６】
(Y_Gain*M_Gain)は、調整因子である。R_Gin,G_Gain,B_Gainは、さらに、R,G,Bグレイスケールの等級調整を制御する。R_Gin,G_Gain,B_Gainは、デフォルト（default）か又はユーザー設定である。また、R_Gin,G_Gain,B_Gainは、正または負であり、即ち、この実施形態において、グレイスケールが増大または減少する。（Y_Gain*M_Gain*R_Gai），（Y_Gain*M_Gain*G_Gain），（Y_Gain*M_Gain*B_Gain）は、ゲイン因子として定義される。もちろん、他の調整公式も適用できる。
【００２７】
［数２］
Rout=Rin*(1+Y_Gain*M_Gain*R_Gain)
Gout=Gin*(1+Y_Gain*M_Gain*G_Gain)
Bout=Bin*(1+Y_Gain*M_Gain*B_Gain)
【００２８】
あるいは、他の公式も実施形態に応用できる。例えば、R_Gin,G_Gain,B_Gainは、Rin,Gin,Binの関数であり、また、デフォルトか又はユーザー設定である。(1+Y_Gain*M_Gain*R_Gain),(1+Y_Gain*M_Gain*G_Gain),(1+Y_Gain*M_Gain*B_Gain)は、ゲイン因子として定義される。
【００２９】
図２は、RinおよびR_Gain間の関係を示すものである。図２には、３つの曲線があり、ユーザーは、好ましいものを選択することができる。曲線は、人類に好ましく調整された／ゲインされたグレイスケールを示している。曲線の中間部分のグレイスケールは、大きなゲインと関係しており、曲線の両端においてゼロまたは小さいゲインと関係している。RinおよびRout間の関係が一番上のRinおよびR_Gain曲線を使用した場合につき図３に示されている。注意すべきは、図３中の関係線が直線ではなく、その中央部分が少し突起しており、人の目にRinおよびRout間の差異を感じさせるものとなっていることである。この発明は、図２の曲線に限定されるものではなく、任意の許容できる曲線が適用できる。
【００３０】
図２と図３とから分かるように、もしも色彩信号が調整領域の境界線上または付近に位置すれば、境界因子Y_Gain,M_Gainは、０または小さい。色彩信号が調整領域の境界線から遠ければ遠いほど境界因子が大きくなる。境界因子の上限は１である。調整領域の境界線上または付近に位置する色彩信号の調整効果は小さいが、調整領域の境界線から遠い色彩信号の調整効果は有意義なものである。従って、調整効果は、漸進的なものであり、誤った輪郭が発生する可能性は低い。境界因子の定義は、表２，３の上昇関数に限定されるものではなく、例えば、調整効果をより円滑なものとするために、境界因子をさらに細かく段階分けする、または上昇関数が継続するものとすることができる。
【００３１】
図４は、この発明の実施形態にかかる色彩画像調整方法を示すフローチャートである。ステップ４０５で調整領域が定義ならびに選択される。ステップ４１０で色彩信号が入力される。ステップ４２０で色彩信号が調整領域内かどうか決定する。もしもノーであればステップ４６０で調整無しに出力する。
【００３２】
もしも色彩信号が調整領域内であれば、ステップ４３０で調整因子が色彩信号および調整領域の境界線間の距離に基づいてセットされる。ステップ４４０で色彩信号のR,G,Bグレイスケールが調整因子に基づいて調整される。ステップ４５０で調整された色彩信号が出力される。
【００３３】
調整領域は、多角形のような別な形状でも良い。あるいは、明確な定義により、調整領域を曲線とすることもでき、さらに、調整領域の分布を図１の色度図に限定する必要もなく、例えば、RGB色彩モデルに対応した３次元座標中に分布させることができる。良く定義された調整因子により、良い調整効果が達成できる。
【００３４】
また、この発明の応用をRGB色彩モデルに限定するものではない。この発明は、別な色彩モデルにも適用できるものであり、例えば、YMC(yellow, magenta, cyan)あるいはHSV(hue, saturation, luminance)色彩モデルにも適用できる。
【００３５】
この発明の色彩画像調整方法は、色彩モデルの変換無しに、ＲＧＢ色彩モデル下で色彩信号を調整するものであって、この発明が供給する装置の複雑性およびコストを低減するものである。
この発明の色彩画像調整方法において、予め決定された領域内に位置する色彩画像が調整因子に基づいて調整され、調整領域の色彩信号および境界間の距離の上昇関数であって、もしも調整領域の境界線上または付近に位置すれば、調整効果は０または小さい、つまり境界線上または付近に位置する色彩信号の調整効果は小さい。反対に、境界線から遠い色彩信号の調整効果は有意義なものであって、調整効果が漸進的で、誤った輪郭の発生を防止するものである。
【００３６】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【００３７】
添付した図面は本発明を更に理解させるためのものであり、本発明の一部を形成する。図面は実施例を例示するもので、本発明の原理の説明を形成している。
【図面の簡単な説明】
【００３８】
【図１】この発明の色彩画像調整方法にかかる実施形態で使用される色度図である。
【図２】この発明にかかる色彩信号の赤グレイスケール調整方法を示す説明図である。
【図３】この発明にかかる色彩信号の赤グレイスケール調整方法を示す説明図である。
【図４】この発明にかかる色彩画像調整方法を示すフローチャートである。
【図１】
2007049255.tif 000006
【図２】
2007049255.tif 000007
【図３】
2007049255.tif 000008
【図４】
2007049255.tif 000009
【外国語明細書】
1. TITLE OF THE INVENTION
METHOD FOR ADJUSTING COLORS OF IMAGE
2. DETAILED DESCRIPTION OF INVENTION
BACKGROUND OF THE INVENTION
FIELD OF INVENTION
The present invention relates to a method for adjusting color images. More particularly, the present invention relates to a method for adjusting color images in a predetermined region.
DESCRIPTION OF RELATED ART
In the case of displaying the color image on television sets, R(red), G(green) and B(blue) signals of color images are converted into luminance signals Y and two color difference signals R-Y and B-Y, which represent the hue and saturation of color images.  In prior art, the hue signals, saturation signals and luminance signals are adjusted under (Y, R-Y and B-Y) color model.
However, there are two drawbacks in the prior art.  First, the whole gray scales of color signals are adjusted simultaneously, and it is difficult to adjust one arbitrary color.  For example, it's difficult to enhance color saturation of blue sky, white cloud, or red sunset images in a predetermined region, or to adjust distorted skin colors.  Second, even in the case of inputting digital RGB signals, the digital RGB signals are converted into the Y, R-Y and B-Y signals of the Y, R-Y and B-Y color model, and then, those signals are again converted into R, G and B signals and output.  This conversion process increases complexity and cost of adjusting circuits.
U.S. patent 5,060,060 discloses another method and apparatus for processing color images.  In U.S. patent 5,060,060, R, G and B signals are converted into the Y, R-Y and B-Y signals, and then, the Y, R-Y and B-Y signals are converted into the luminance (Y'), hue (H) and saturation (C) signals.  If technical features of U.S. patent 5,060,060 are applied in the color display in television sets, the luminance (Y), hue (H) and saturation (C) signals are converted into the R, G and B signals.
U.S patent 5,585,860 discloses still another reproduction circuit for skin colors in the Y, R-Y and B-Y model.  In U.S patent 5,585,860, color signals are converted between the RGB model and the Y, R-Y and B-Y model.
There is a need to adjust color images in predetermined region in the RGB model without conversion of color models.
SUMMARY OF THE INVENTION
One aspect of the invention is to provide an adjusting method for color images, adjusting color signals in predetermined regions under RGB color model without conversion of color model.  The complexity and cost of apparatus applying the invention is low.
Another aspect of the invention is to provide a method for adjusting color images in predetermined adjust region under appropriate suitable color model.  In the adjust method, adjusting effects of the color signals locating on or close to the boundary lines of the adjust regions are small, but adjust effects of color signals far away from the boundary lines are significant.  So the adjust effects are gradual, and possibility of preventing occurrence of false contour is low.
To at least achieve the above and other aspects, the invention provides a method for adjusting color images.  In this method, an adjust region is defined and selected.  It is judged whether color signals of the color image are within the adjust region.  Red (R), green (G) and blue (B) gray scales of the color signals are adjusted without conversion of color model, if the color signals are within the adjust region.
In one embodiment, the adjusting step includes the steps of: defining an adjust factor based on a distance between the color signals and boundaries of the adjust region; and adjusting red, green and blue gray scales of the color signals based on values of the adjust factor.
In one embodiment, the boundaries of the adjust regions are defined by one or more inequalities including R, G and B gray scales of color signals.
In one embodiment, the adjust factor is a product of a plurality of boundary factors, each corresponding to one of the inequalities.
In one embodiment, the boundary factor is an ascending function of the distance between the color signals and boundaries defined by the corresponding inequalities.  The boundary factor is 0 if the color signals located on the corresponding boundary.  An upper limit of the boundary factor is 1.
In one embodiment, the step of adjusting the color signals based on values of the adjust factor further includes the steps of performing an addition or multiplication operation on corresponding gains and red, green and blue gray scales of the color signals, wherein the gains are determined based on the adjust factor.
Still other aspect of the invention is to provide a method for adjusting color images, the method including the steps of: defining and selecting an adjust region; judging whether a color signal of the color image is located within the adjust region; defining an adjust factor on the basis of a distance between the color signal and boundaries of the adjust region, if the color signal is located within the adjust region; and adjusting the color signal based on values of the adjust factor without conversion of color model.
As above, the adjusting method for color images according to the present invention adjusts color signals in predetermined regions under RGB color model, without conversion of color model.  The complexity and cost of apparatus applying the invention is low.
In the adjust method, the color images locating within predetermined adjust regions are adjusted based on the adjust factor, which is an ascending function of the distance between the color signals and the boundaries of the adjust regions.  If the color signals locate on or close to the boundary lines of the adjust regions, the adjust factor are 0 or small, which means the adjust effects of color signals locating on or close to the boundary lines are small.  On the other hand, the adjust effects of color signals far away from the boundary lines are significant.  So the adjust effects are gradual for preventing occurrence of error profiles.
It is to be understood that both the foregoing general description and the following detailed description are exemplary, and are intended to provide further explanation of the invention as claimed.
DESCRIPTION OF THE PREFERRED EMBODIMENTS
Reference will now be made in detail to the present preferred embodiments of the invention, examples of which are illustrated in the accompanying drawings.  
A color image is constituted of color signals of a plurality of pixels, and color signals determine RGB gray scales of pixels.  In this embodiment, it is determined whether color signals of pixels are located in predetermined adjust regions of color space.  If yes, an adjusting factor is determined based on the distance between the color signals and the boundary lines of adjust regions.  The RGB gray scales of the color signals are adjusted based on the adjusting factor.
The adjust region is shown in FIG. 1, which shows a chromaticity diagram.  In FIG. 1, the R, G and B signals in a display apparatus embodying the present invention are marked by the points PR, PG and PB.  A triangle formed by these three points PR, PG and PB covers colors displayed on the display apparatus.  The yellow, magenta and cyan signals are marked by the points PY, PM and PC on boundary lines of the triangle.  The lines PR-PC, PG-PM and PB-PY divide the triangle into six color regions, labels by 1 to 6.  The color regions 1~6 have a common point PW, which indicates white signal. Table 1 defines the color regions 1~6.
Table 1
2007049255.tif 000010
In this embodiment, the color region 1, including for example skin colors, is set as the adjust region.  Of course, other color regions 2~6 may be set as adjust regions, if necessary.  In table 1, R, G and B represent the red, green and blue gray scales of color signals of a pixel.  If R>G>B, the color signals are defined as being located in the adjust region.  R>G>B is equivalent to both R>G and G>B.  In FIG. 1, the color region 1 is bounded in the lines PY-PB (which means R=G) and PR-PC (which means G=B).
After the adjust region is determined, then, adjust factor are set.  In this embodiment, the adjust factor is a product of two boundary factors Y_Gain and M_Gain (the adjust factor=Y_Gain*M_Gain).  The boundary factor Y_Gain is related to the line PY-PB, and the boundary factor M_Gain is related to the line PR-PC.  The boundary factor Y_Gain is defined as an ascending function of the distance between the color signal and the line PY-PB.  Similarly, the boundary factor M_Gain is defined as an ascending function of the distance between the color signal and the line PR-PC.  Tables 2 and 3 show the definition of Y_Gain and M_Gain.
Table 2
2007049255.tif 000011
Table 3
2007049255.tif 000012
After the adjust factor is defined, the color signals are adjusted on the basis of the adjust factor.  Rin, Gin and Bin are defined as original R, G and B gray scales of the input color signals and Rout, Gout and Bout are defined as the adjusted R, G and B gray scales.  The adjusting formulae are as follows.
Rout=Rin+Y_Gain*M_Gain*R_Gain
Gout=Gin+Y_Gain*M_Gain*G_Gain
Bout=Bin+Y_Gain*M_Gain*B_Gain
(Y_Gain*M_Gain) is the adjust factor.  R_Gin, G_Gain and B_Gain further control adjust degrees of R, G and B gray scales.  R_Gin, G_Gain and B_Gain are either default or user-defined.  Besides, R_Gin, G_Gain and B_Gain are either positive or negative, which means, in this embodiment, the gray scales may be increased or decreased.  (Y_Gain*M_Gain*R_Gain), (Y_Gain*M_Gain*G_Gain) and (Y_Gain*M_Gain*B_Gain) are defined as gain factors. Of course, other adjusting formulae are suitable.  
Rout=Rin*(1+Y_Gain*M_Gain*R_Gain)
Gout=Gin*(1+Y_Gain*M_Gain*G_Gain)
Bout=Bin*(1+Y_Gain*M_Gain*B_Gain)
Or, other formulae are applicable in the embodiment.  For example, R_Gain, G_Gain and B_Gain are functions of Rin, Gin and Bin, in addition to default or user-defined.  (1+Y_Gain*M_Gain*R_Gain), (1+Y_Gain*M_Gain*G_Gain) and (1+Y_Gain*M_Gain*B_Gain) are defined as gain factors.
FIG. 2 shows the relationship between Rin and R_Gain.  There are three curves in FIG. 2, and users may options one preferred.  The curves indicate adjusted/gained gray scales preferable to human beings.  Gray scales in the middle portion of the curves are related to large gains, and those on two ends of the curves are related to zero or small gains.  The relationship between Rin and Rout is shown as FIG. 3 in the case applying the topmost Rin-R_Gain curve.  It is noted that, the relationship line in FIG. 3 is not straight, but slightly protruded in its middle portion, to make human beings feel the difference between Rin and Rout.  The invention is not limited by the curves in FIG. 2, and any acceptable curves are applicable.
As seen from the above tables 2 and 3, if the color signals locate on or close to the boundary lines of the adjust regions, the boundary factors Y_Gain and M_Gain are 0 or small.  The farther the color signals away from the boundary lines of the adjust regions, the larger the boundary factors.  The upper limit of the boundary factors is 1.  The adjust effects of color signals locating on or close to the boundary lines are small, but the adjust effects of color signals far away from the boundary lines are significant.  So the adjust effects are gradual, and the possibility of occurrence of error profiles is low.  The definition of boundary factors are not limited by the ascending functions in tables 2 and 3.  For example, there are more stages in defining the boundary factors, or the ascending functions are continuous, for smoother adjust effects.
FIG. 4 shows a flow chart of the adjusting method for color images according to the embodiment of the invention.  Adjust regions are defined and selected in step S405.  Color signals are input, in step 410.  It is determined whether the color signals are within the adjust regions, in step 420.  If not, the color signals are output without adjust, in step 460.
If the color signals are within the adjust regions, the adjust factor is set based on the distance between the color signals and the boundaries of the adjust regions, in step 430.  The R, G and B gray scales of the color signals are adjusted based on the adjust factor, in step 440.  The adjusted color signals are output, in step 450.
The adjust regions may be in other shapes, for example polygon.  Or, with definite definition, the adjust regions may be in curved shapes.  Furthermore, distribution of the adjust region is not limited by the chromaticity diagram of FIG. 1.  For example, the adjust regions is distributed in a three dimensional coordinate corresponding to RGB color model.  With well-defined adjust factor, a good adjust effect is achieved.
The application of the invention is not limited in RGB color model.  The invention is applicable in other color models, for example YMC (yellow, magenta, cyan) or HSV (hue, saturation, luminance) color models.
As described above, the adjusting method for color images according to the present invention adjusts color signals in predetermined regions under RGB color model, without conversion of color model.  The complexity and cost of apparatus applying the invention is low.  In the adjust method, the color images are adjusted based on the adjust factor, which is an ascending function of the distance between the color signals and the boundaries of the adjust regions.  If the color signals locate on or close to the boundary lines of the adjust regions, the adjust factor are 0 or small, which means the adjust effects of color signals locating on or close to the boundary lines are small.  On the other hand, the adjust effects of color signals far away from the boundary lines are significant.  So the adjust effects are gradual for preventing occurrence of error profiles.
It will be apparent to those skilled in the art that various modifications and variations can be made to the structure of the present invention without departing from the scope or spirit of the invention.  In view of the foregoing descriptions, it is intended that the present invention covers modifications and variations of this invention if they fall within the scope of the following claims and their equivalents.
BRIEF DESCRIPTION OF THE DRAWINGS
The accompanying drawings are included to provide a further understanding of the invention, and are incorporated in and constitute a part of this specification.  The drawings illustrate embodiments of the invention and, together with the description, serve to explain the principles of the invention.
FIG. 1 is a chromaticity diagram applied in one preferred embodiment of the present invention.
FIG. 2 and FIG. 3 are schematic views in adjusting the R gray scale in color signals according to the preferred embodiment of the present invention.
FIG. 4 shows the flow chart of the color images adjusting method according to the preferred embodiment of the present invention.
1. CLAIMS
1. A method for adjusting color images, comprising the steps of:
defining and selecting an adjust region;
judging whether color signals of the color image are within the adjust region; and
adjusting gray scales of the color signals without conversion of color model, if the color signals are within the adjust region.
2. The method of claim 1, wherein the adjusting step further comprises the steps of:
defining an adjust factor based on a distance between the color signals and boundaries of the adjust region; and
adjusting red, green and blue gray scales of the color signals based on values of the adjust factor.
3. The method of claim 2, further comprising the steps of:
inputting the color signals; and
outputting the adjusted color signals.
4. The method of claim 3, further comprising the steps of:
outputting the color signals without adjust if the color signals are outside the adjust region.
5. The method of claim 2, wherein the boundaries of the adjust regions are defined by one or more inequalities including red, green and blue gray scales of the color signals.
6. The method of claim 5, wherein if the color signals satisfy R>G>B, the color signals are judged as being within the adjust regions, wherein R, G and B represent the red, green and blue gray scales of the color signals.
7. The method of claim 5, wherein the adjust factor is a product of a plurality of boundary factors, each corresponding to one of the inequalities.
8. The method of claim 7, wherein the boundary factor is defined based on a distance between the color signals and boundaries defined by the inequalities corresponding to the boundary factor.
9. The method of claim 8, wherein the boundary factor is an ascending function of the distance between the color signals and boundaries defined by the corresponding inequalities.
10. The method of claim 9, wherein the boundary factor is 0 if the color signals located on boundaries defined by the corresponding inequalities.
11. The method of claim 9, wherein an upper limit of the boundary factor is 1.
12. The method of claim 2, wherein the step of adjusting the color signals based on values of the adjust factor comprises the steps of:
adding corresponding gains to red, green and blue gray scales of the color signals, wherein the gains are determined based on the adjust factor.
13. The method of claim 2, wherein the step of adjusting the color signals based on values of the adjust factor comprises the steps of:
multiplying red, green and blue gray scales of the color signals by corresponding gains, wherein the gains are determined based on the adjust factor.
14. A method for adjusting color images, comprising the steps of:
defining and selecting an adjust region;
judging whether a color signal of the color image is located within the adjust region;
defining an adjust factor on the basis of a distance between the color signal and boundaries of the adjust region, if the color signal is located within the adjust region; and
adjusting the color signal based on values of the adjust factor without conversion of color model.
15. The method of claim 14, wherein the boundaries of the adjust regions are defined by one or more inequalities.
16. The method of claim 15, wherein the adjust factor is a product of a plurality of boundary factors, each corresponding to one of the inequalities.
17. The method of claim 16, wherein the boundary factor is defined based on a distance between the color signals and the boundaries defined by the corresponding inequalities of the boundary factor.
18. The method of claim 17, wherein the boundary factor is an ascending function of the distance between the color signals and the boundaries defined by the corresponding inequalities of the boundary factor.
19. The method of claim 18, wherein the boundary factor is 0 if the color signals located on the corresponding boundaries defined by the inequalities.
20. The method of claim 18, wherein an upper limit of the boundary factor is 1.
１．Abstract
A method for adjusting color images is disclosed, which adjusts color signals within predetermined adjust regions without conversion of color model.  The adjust effects are gradual and the possibility of occurrence of error profiles is low.  The adjust regions are defined and selected.  It is judged whether color signals of color images are located within the adjust region.  If color signals of color images are located within the adjust region, an adjust factor is defined on the basis of a distance between the color signal and boundaries of the adjust region.  Red (R), green (G) and blue (B) gray scales of the color signal are adjusted based on the adjust factor, without conversion of color model.
２．Representative Drawing
Fig.1
【図１】
2007049255.tif 000013
【図２】
2007049255.tif 000014
【図３】
2007049255.tif 000015
【図４】
2007049255.tif 000016